(57)【特許請求の範囲】
【請求項１】
着信信号検出部と、バイブレーション機構部と、前記着信信号検出部からの着信信号をカウントする着信信号カウント手段を有するバイブレーション制御部とを具備する移動体端末であって、
前記バイブレーションレベル制御部は、前記着信信号カウント手段によってカウントされる呼び出し回数が設定された回数未満の場合は前記バイブレーション機構部の振動レベルを強くし、前記呼び出し回数が前記設定された回数以上で且つ特定のカウント数未満の場合は前記バイブレーション機構部の振動レベルを弱くし、前記着信信号カウント手段によってカウントされる前記呼び出し回数が前記特定のカウント数に達したときに、鳴動モードへの切り替えを行うように構成して成ることを特徴とする移動体端末。
【請求項２】
前記移動体端末は、呼び出し条件設定部を有し、当該呼び出し条件設定部により設定された条件に従って、前記バイブレーションレベル制御部が前記バイブレーション機構部の振動レベルの強弱の制御及び鳴動モードへの切り替えを行うように構成して成ることを特徴とする請求項１に記載の移動体端末。
【請求項３】
着信信号検出部と、バイブレーション機構部と、前記着信信号検出部からの着信信号をカウントする着信信号手段を有するバイブレーション制御部とを具備する移動体端末の移動体端末バイブレーションレベル制御方法であって、
前記バイブレーションレベル制御部は、前記着信信号カウント手段によってカウントされる呼び出し回数が設定された回数未満の場合は前記バイブレーション機構部の振動レベルを強くし、前記呼び出し回数が前記設定された回数以上で且つ特定のカウント数未満の場合は前記バイブレーション機構部の振動レベルを弱くし、前記着信信号カウント手段によってカウントされる前記呼び出し回数が前記特定のカウント数に達したときに、鳴動モードへの切り替えを行うことを特徴とする移動体端末バイブレーションレベル制御方法。
【請求項４】
前記移動体端末は、呼び出し条件設定部を有し、当該呼び出し条件設定部により設定された条件に従って、前記バイブレーションレベル制御部が前記バイブレーション機構部の振動レベルの強弱の制御及び鳴動モードへの切り替えを行うことを特徴とする請求項３に記載の移動体端末バイブレーションレベル制御方法。
【発明の詳細な説明】
【０００１】
【発明の属する技術分野】
本発明は移動体端末、及び移動体端末バイブレーションレベル制御方法に関するものであり、更に詳細には移動体端末を振動モードにより使用している場合でも消費電力を削減することのできる移動体端末、及び移動体端末バイブレーションレベル制御方法に関するものである。
【０００２】
【従来の技術】
近年、移動体端末の普及拡大が進むにつれ、小型化、多機能化及び性能向上が図られている。多機能化においては、着信方法も着信音のみならずバイブレータの振動によって着信が確認できるようになっている。
【０００３】
このようにバイブレータの振動により着信が確認できるようになっているため、例えば騒音の中においても着信を確実に知ることができる。また、公共性の高いエリア（例えば、電車の中、劇場、映画館、博物館及び図書館等）における移動体端末の利用に際しては、着信音による着信通知では周囲に迷惑をかける可能性があるため、着信音により着信を通知する、いわゆる鳴動モードでなくバイブレータの振動によって着信を通知する、いわゆる振動モードにより着信を確認することができる。
【０００４】
従来のバイブレーションの振動による着信は、一定の間隔で同レベルの振動が発生し、着呼処理が行われるまで継続されている。バイブレーションの振動は、着信音よりも消費電力が多いので、バイブレーションの振動に設定している場合にはバッテリー使用量の急激な増加となり、継続使用期間が短くなってしまう等の問題があった。
一方、移動体端末そのものは小型化が要求されており、バッテリー容量を増やすことができない状況にあり、バイブレーション機能を利用する機会も増加している。
【０００５】
移動体端末のバイブレーション機能を制御する技術としては、例えば特開２０００−３３３２５１号公報、例えば特開２０００−１９６７１５号公報及び特開平１０−２５７１３５号公報に開示されたものが知られている。上記公報に記載された技術は、移動体端末におけるバイブレーション機能を制御する技術であるが、上記問題を解決し得るものではなかった。
【０００６】
従って、移動体端末を振動モードにより使用している場合でも消費電力を削減することのできる移動体端末、及び移動体端末バイブレーション制御方法が望まれていた。
【０００７】
【発明が解決しようとする課題】
従って、本発明の目的は、移動体端末を振動モードにより使用している場合でも消費電力を削減することのできる移動体端末、及び移動体端末バイブレーションレベル制御方法を提供することにある。
【０００８】
【課題を解決するための手段】
前記課題を解決する本出願の第１の発明は、着信信号検出部と、バイブレーション機構部と、前記着信信号検出部からの着信信号をカウントする着信信号カウント手段を有するバイブレーション制御部とを具備する移動体端末であって、前記バイブレーションレベル制御部は、前記着信信号カウント手段によってカウントされる呼び出し回数が設定された回数未満の場合は前記バイブレーション機構部の振動レベルを強くし、前記呼び出し回数が前記設定された回数以上で且つ特定のカウント数未満の場合は前記バイブレーション機構部の振動レベルを弱くし、前記着信信号カウント手段によってカウントされる前記呼び出し回数が前記特定のカウント数に達したときに、鳴動モードへの切り替えを行うように構成して成ることを特徴とする移動体端末である。
前記課題を解決する本出願の第２の発明は、本出願の第１の発明の移動体端末において、前記移動体端末は、呼び出し条件設定部を有し、当該呼び出し条件設定部により設定された条件に従って、前記バイブレーションレベル制御部が前記バイブレーション機構部の振動レベルの強弱の制御及び鳴動モードへの切り替えを行うように構成して成ることを特徴とする。
【０００９】
かかる構成とすることにより、バイブレーションレベル制御部がバイブレーション機構部の振動レベルを制御する手段を有しているので、移動体端末を振動モードにより使用している場合でも消費電力を削減することのできる移動体端末となる。
【００１１】
かかる構成とすることにより、バイブレーション制御部が着信信号検出部からの着信信号をカウントする手段、及びバイブレーション機構部の振動レベルを制御する手段を有しているので、着信信号のカウントにより、バイブレーション機構部の振動レベルを制御することができるので、移動体端末を振動モードにより使用している場合でも消費電力を削減することのできる移動体端末となる。
【００１３】
かかる構成とすることにより、バイブレーションレベル制御部が着信信号検出部からの着信信号をカウントし、着信信号が特定のカウント数に達した際に、バイブレーション機構部の振動レベルを制御することができ、消費電力の削減効果がより効果的となる。
【００１５】
かかる構成とすることにより、本発明の移動体端末は呼び出し条件設定部を有し、かかる呼び出し条件設定部により設定された条件に従って、バイブレーションレベル制御部がバイブレーション機構部の振動レベルを制御することができ、利用者が自由に振動レベルの制御の調整を行なうことが可能となる。すなわち、例えば呼び出し回数２回程度は振動レベルを強くし、後は振動レベルを弱くする等の設定を自由に行なうことが可能となる。
【００１６】
前記課題を解決する本出願の第３の発明は、着信信号検出部と、バイブレーション機構部と、前記着信信号検出部からの着信信号をカウントする着信信号手段を有するバイブレーション制御部とを具備する移動体端末の移動体端末バイブレーションレベル制御方法であって、前記バイブレーションレベル制御部は、前記着信信号カウント手段によってカウントされる呼び出し回数が設定された回数未満の場合は前記バイブレーション機構部の振動レベルを強くし、前記呼び出し回数が前記設定された回数以上で且つ特定のカウント数未満の場合はは前記バイブレーション機構部の振動レベルを弱くし、前記着信信号カウント手段によってカウントされる前記呼び出し回数が前記特定のカウント数に達したときに、鳴動モードへの切り替えを行うことを特徴とする移動体端末バイブレーションレベル制御方法である。
前記課題を解決する本出願の第４の発明は、本出願の第３の移動体端末バイブレーションレベル制御方法発明において、前記移動体端末は、呼び出し条件設定部を有し、当該呼び出し条件設定部により設定された条件に従って、前記バイブレーションレベル制御部が前記バイブレーション機構部の振動レベルの強弱の制御及び鳴動モードへの切り替えを行うことを特徴とする。
【００１７】
かかる構成とすることにより、バイブレーションレベル制御部が、着信信号検出部からの着信信号をカウントし、特定のカウント数に達した際に、バイブレーション機構部の振動レベルを制御するので、移動体端末を振動モードにより使用している場合でも消費電力を削減することのできる移動体端末バイブレーション制御方法となる。
【００１９】
かかる構成とすることにより、移動体端末が呼び出し条件設定部を有し、かかる呼び出し条件設定部により設定された条件に従って、バイブレーション制御部がバイブレーション機構部の振動レベルを制御することができ、利用者が自由に振動レベルの制御の調整を行なうことが可能となる。
【００２０】
【発明の実施の形態】
以下、本発明の移動体端末について図面を参照して説明する。図１は、本発明の移動体端末１の構成を示す図である。図１に示すように、本発明の移動体端末１は、着信信号検出部１１、バイブレーションレベル制御部１２、バイブレーション機構部１３及び呼び出し条件設定部１４を有している。
【００２１】
前記着信信号検出部１１は、移動体通信網２０から移動体端末１に着信があったことを検出する機能を有している。移動体端末１が鳴動モードに設定されている場合は着信音により着信を通知し、移動体端末１が振動モードに設定されている場合はバイブレータの振動によって着信を通知する機能を有している。また、着信信号検出部１１はバイブレーションレベル制御部に発呼回数等の情報を伝える機能を有する。
【００２２】
バイブレーションレベル制御部１２は、呼び出し条件設定部１４からの条件を読み取り、バイブレーション機構部１３の振動レベルを制御する機能を有する。前記条件とは、例えば呼び出し回数２回程度は振動レベルを強くし、その後は振動レベルを弱くする、又は呼び出し回数１回程度は振動レベルを強くし、その後の呼び出し回数９回程度は振動レベルを弱くし、その後は鳴動モードに切り替える等、どのようなものでもよく、移動体端末の利用者が自由に設定することができる。
【００２３】
また、バイブレーションレベル制御部１２は、着信信号検出部１１からの着信信号をカウントする手段を有している。かかる手段を有することにより、上記のバイブレーション機構部１３の振動レベルを制御する機能の実行がより高精度となる。すなわち、呼び出し回数２回程度を、着信信号検出部１１からの着信信号をカウントする手段によりカウントする。そして、バイブレーション制御部１２は、着信信号検出部１１からの着信信号が特定のカウント数に達した際に、バイブレーション機構部１３の振動レベルを制御するようになされている。
また、振動レベルの制御だけでなく、鳴動モードへの切り替えが可能なようになされている。
【００２４】
バイブレーション機構部１３は、バイブレーションレベル制御部１２からの振動レベル情報に従い、振動モータの電流制御を行い、振動のレベル（大きさ）を可変する手段を有している。
【００２５】
呼び出し条件設定部１４は、利用者が自己の好み又は用途に会わせて振動レベルをどのように可変するかを設定する部位である。条件は、例えば上述したものが挙げられ、利用者が自由に設定することができる。上述したように、呼び出し回数２回程度は振動レベルを強くし、その後は振動レベルを弱くするのは、移動体端末が身体に接触している場合は呼び出し回数２回程度で十分に着信があったことを認識でき、身体に接触していない場合は、振動モードでは利用者が気が付く場合は稀有と考えられ、従って継続したバイブレーションは不要であると考えられるからである。このようにすることにより、消費電力の削減が可能となる。
【００２６】
次に、本発明の移動体端末バイブレーションレベル制御方法について図面を参照して説明する。
本発明の移動体端末バイブレーションレベル制御方法は、着信信号検出部、バイブレーションレベル制御部及びバイブレーション機構部を有する移動体端末を用いた移動体端末バイブレーションレベル制御方法であり、バイブレーションレベル制御部が、着信信号検出部からの着信信号をカウントし、特定のカウント数に達した際に、バイブレーション機構部の振動レベルを制御することを特徴とする。
【００２７】
本発明の移動体端末バイブレーション制御方法においては、図１に示す本発明の移動体端末が用いられる。
本発明の移動体端末バイブレーション制御方法においては、移動体通信網２０から移動体端末１に着信があった場合に、着信信号検出部１１が着信があったことを検出し、バイブレーションレベル制御部１２が、着信信号検出部１１からの着信信号をカウントし、特定のカウント数に達した際に、バイブレーション機構部１３の振動レベルを制御する。
【００２８】
例えば、呼び出し回数２回程度は振動レベルを強くし、その後は振動レベルを弱くする等の制御である。このようにするのは、移動体端末１が身体に接触している場合は呼び出し回数２回程度で十分に着信があったことを認識でき、身体に接触していない場合は、振動モードでは利用者が気が付くことは稀有であり、従って継続したバイブレーションは不要であると考えられるからである。このようにすることにより、消費電力の削減が可能となる。
【００２９】
なお、上述した振動レベルを変更する条件は、移動体端末１の利用者が自由に設定することができ、呼び出し条件設定部１４に記憶されている。かかる呼び出し条件設定部１４に記憶されている条件を変更することにより、振動レベルが弱くなるまでの呼び出し回数を自由に設定することが可能であり、ある程度の回数振動させた後に鳴動モードに変えること等も可能である。
【００３０】
【発明の効果】
以上詳述した通り、本発明の移動体端末によれば、バイブレーション制御部が、バイブレーション機構部の振動レベルを制御する手段を有しているので、移動体端末を振動モードにより使用している場合でも消費電力を削減することが可能となる。
【００３１】
また、本発明の移動体端末バイブレーションレベル制御方法によれば、バイブレーションレベル制御部が、着信信号検出部からの着信信号をカウントし、特定のカウント数に達した際に、バイブレーション機構部の振動レベルを制御するので、移動体端末を振動モードにより使用している場合でも消費電力を削減することのできる移動体端末バイブレーション制御方法となる。
【図面の簡単な説明】
【図１】  本発明の移動体端末の構成を示す図である。
【符号の説明】
１  移動体端末
１１  着信信号検出部
１２  バイブレーションレベル制御部
１３  バイブレーション機構部
１４  呼び出し条件設定部
２０  移動体無線通信網
【図１】
0003685096.tif 000002